(57)【要約】【課題】転写紙の補給の前後で異なる転写紙を誤って補給することを抑制することができる紙種検知装置を提供する。【解決手段】給紙搬送動作がスタート（Ｓ２１）で紙種記憶値（Ｙｎ、Ｚｎ）の有無を判定し（Ｓ２２）、記憶値（Ｙｎ、Ｚｎ）が有ればこれを紙種判定テーブルのデータ範囲Ｒ１〜Ｒ６と比較照合し（Ｓ２６）、紙種を判定する（Ｓ２７）。記憶値（Ｙｎ、Ｚｎ）が無い場合は紙種検知手段３０が測定を行い（Ｓ２３）、測定データを一時記憶手段に一時記憶値（Ｘ１、Ｘ２）として記憶し（Ｓ２４）、これを紙種記憶値（Ｙｎ、Ｚｎ）として紙種記憶手段に格納し（Ｓ２５）、同様に紙種を判定する（Ｓ２７）。データクリア手段３３は、データクリアする判定条件になると、紙種記憶手段３２の該当する給紙動作を行っている給紙段の紙種記憶値（Ｙ１〜Ｙｎ、Ｚ１〜Ｚｎの該当値）をクリアする。【選択図】図５
2008225052.tif 000002
【特許請求の範囲】
【請求項１】
用紙を測定してデータを取得し、紙種判定テーブルの分類閾値を用いて該用紙の紙種・紙厚を判定するための紙種検知手段と、
該紙種検知手段が取得した測定データを記憶する紙種記憶手段と、
該紙種記憶手段に記憶された測定データをクリアするデータクリア手段と、
用紙が無いことを検知した時に前記紙種記憶手段に記憶された測定データをクリアするデータクリア手段と、
前記紙種検知手段による紙種判定とは別に、前記紙種検知手段が取得した今回のデータと前回取得したデータとを直接比較し、両データの差が大きい場合には前記紙種判定テーブルの分類閾値に関係なく、転写紙が前回と同一でなく変更になっている可能性があると判断し、該判断を通知する転写紙変更判定手段と、
を有することを特徴とする紙種検知装置。
【請求項２】
請求項１の画像形成装置において、前記作像部を上方へ回動させて開いた時、前記原稿テーブルと一定の隙間を保つための支持部材を前記原稿テーブル側または前記作像部のいずれかに設けたことを特徴とする画像形成装置。
【請求項３】
請求項１または請求項２の紙種検知装置において、用紙が無いことを検知した時にだけ、前記転写紙変更判定手段を動作させることを選択可能なジョブ限定選択手段を有することを特徴とする紙種検知装置。
【請求項４】
用紙が無いことを検知した時にだけ前記データクリア手段が前記紙種記憶手段に記憶された測定データをクリアし、かつカラープリントが行われるときのみ、前記転写紙変更判定手段を動作させることを選択可能な表面検知高精度設定手段を有することを特徴とする請求項１または請求項２の紙種検知装置。
【請求項５】
用紙が無いことを検知した時にだけ前記データクリア手段が前記紙種記憶手段に記憶された測定データをクリアし、かつ高画質プリントが行われるときのみ、前記転写紙変更判定手段を動作させることを選択可能な表面検知高精度設定手段を有することを特徴とする請求項１または請求項２の紙種検知装置。
【請求項６】
用紙の紙種・紙厚を判定するために用紙を測定してデータを収得する紙種検知手段と、
該紙種検知手段が収得した測定データを記憶する紙種記憶手段と、
該紙種記憶手段に記憶された測定データをクリアするデータクリア手段と、
用紙が無いことを検知した時にだけ紙種記憶手段に記憶された測定データをクリアするデータクリア手段とを有し、
前記紙種・紙厚検知手段が転写紙の用紙表面を検出判定する紙表面検知手段と、前回の表面測定データと比較して転写紙の表面が変更になっていないかを判定する紙表面変更判定手段有することを特徴とする紙種検知装置。
【請求項７】
用紙が無いことを検知した時にだけ前記データクリア手段が前記紙種記憶手段に記憶された測定データをクリアし、かつカラープリントが行われるときのみ、前記転写紙変更判定手段を動作させることを選択可能な表面検知高精度設定手段を有することを特徴とする請求項１または請求項６の紙種検知装置。
【請求項８】
用紙が無いことを検知した時にだけ前記データクリア手段が前記紙種記憶手段に記憶された測定データをクリアし、かつ高画質プリントが行われるときのみ、前記転写紙変更判定手段を動作させることを選択可能な表面検知高精度設定手段を有することを特徴とする請求項１または請求項７の紙種検知装置。
【請求項９】
請求項１から８のいずれかの紙種検知装置を有することを特徴とする画像形成装置。
【請求項１０】
指定した給紙段に対してだけ、前記転写紙変更判定手段を動作させることを選択できる給紙段限定選択手段を有することを特徴とする請求項１０の画像形成装置。
【請求項１１】
前記画像形成装置は電子写真複写機であることを特徴とする請求項９または１０の画像形成装置。
【請求項１２】
前記画像形成装置はプリンタであることを特徴とする請求項９または１０の画像形成装置。
【請求項１３】
前記画像形成装置はファクシミリであることを特徴とする請求項９または１０の画像形成装置。
【発明の詳細な説明】
【技術分野】
【０００１】
本発明は、複写機、プリンタ、ファクリミリなどの画像形成装置などの給紙装置に用いる紙種検知装置に関する。
【背景技術】
【０００２】
複写機、プリンタなどの画像形成装置において、用紙が無くなった時などの用紙補給の前後で、誤って異なる紙種または紙厚の転写紙が補給された場合に、プリントした転写紙が無駄になる不具合があった。転写紙を補給したユーザとプリント要求をしたユーザが異なると、不具合の発生が多くなる。また、転写紙の補給の際に、異なる用を混ぜて混入した場合に同様である。
【発明の開示】
【発明が解決しようとする課題】
【０００３】
本発明は、転写紙の補給の前後で異なる転写紙を誤って補給することを抑制することを目的とするものである。
【課題を解決するための手段】
【０００４】
本発明の請求項１に係る紙種検知装置は、用紙を測定してデータを取得し、紙種判定テーブルの分類閾値を用いて該用紙の紙種・紙厚を判定するための紙種検知手段と、該紙種検知手段が取得した測定データを記憶する紙種記憶手段と、該紙種記憶手段に記憶された測定データをクリアするデータクリア手段と、用紙が無いことを検知した時に前記紙種記憶手段に記憶された測定データをクリアするデータクリア手段と、前記紙種検知手段による紙種判定とは別に、前記紙種検知手段が取得した今回のデータと前回取得したデータとを直接比較し、両データの差が大きい場合には前記紙種判定テーブルの分類閾値に関係なく、転写紙が前回と同一でなく変更になっている可能性が有ると判断し、該判断を通知する転写紙変更判定手段とを有することを特徴とする。
【０００５】
同請求項２に係る紙種検知装置は、請求項１の紙種検知装置において、前記データクリア手段が、用紙が取り出される操作を検知した時に前記紙種記憶手段に記憶された測定データをクリアするものであり、前記転写紙変更判定手段が、前記紙種検知手段が今回取得したデータと前回取得したデータとの差の大きさの度合いを判定する判定基準範囲を選択変更できる表面検知精度調整手段を有することを特徴とする。
【０００６】
同請求項３に係る紙種検知装置は、請求項１または請求項２の紙種検知装置において、用紙が無いことを検知した時にだけ、前記転写紙変更判定手段を動作させることを選択可能なジョブ限定選択手段を有することを特徴とする。
【０００７】
同請求項４に係る紙種検知装置は、請求項１または請求項２の紙種検知装置において、用紙が無いことを検知した時にだけ前記データクリア手段が前記紙種記憶手段に記憶された測定データをクリアし、かつカラープリントが行われるときのみ、前記転写紙変更判定手段を動作させることを選択可能な表面検知高精度設定手段を有することを特徴とする。
【０００８】
同請求項５に係る紙種検知装置は、請求項１または請求項２の紙種検知装置において、用紙が無いことを検知した時にだけ前記データクリア手段が前記紙種記憶手段に記憶された測定データをクリアし、かつ高画質プリントが行われるときのみ、前記転写紙変更判定手段を動作させることを選択可能な表面検知高精度設定手段を有することを特徴とする。
【０００９】
同請求項６に係る紙種検知装置は、用紙の紙種・紙厚を判定するために用紙を測定してデータを収得する紙種検知手段と、該紙種検知手段が収得した測定データを記憶する紙種記憶手段と、該紙種記憶手段に記憶された測定データをクリアするデータクリア手段と、用紙が無いことを検知した時にだけ紙種記憶手段に記憶された測定データをクリアするデータクリア手段とを有し、前記紙種・紙厚検知手段が転写紙の用紙表面を検出判定する紙表面検知手段と、前回の表面測定データと比較して転写紙の表面が変更になっていないかを判定する紙表面変更判定手段有することを特徴とする。
【００１０】
同請求項７に係る紙種検知装置は、請求項１または請求項６の紙種検知装置において、用紙が無いことを検知した時にだけ前記データクリア手段が前記紙種記憶手段に記憶された測定データをクリアし、かつカラープリントが行われるときのみ、前記転写紙変更判定手段を動作させることを選択可能な表面検知高精度設定手段を有することを特徴とする。
【００１１】
同請求項８に係る紙種検知装置は、請求項１または請求項７の紙種検知装置において、用紙が無いことを検知した時にだけ前記データクリア手段が前記紙種記憶手段に記憶された測定データをクリアし、かつ高画質プリントが行われるときのみ、前記転写紙変更判定手段を動作させることを選択可能な表面検知高精度設定手段を有することを特徴とする。
【００１２】
同請求項９に係る画像形成装置は、請求項１から８のいずれかの紙種検知装置を有することを特徴とする。
【００１３】
同請求項１０に係る画像形成装置は、請求項１０の画像形成装置において、指定した給紙段に対してだけ、前記転写紙変更判定手段を動作させることを選択できる給紙段限定選択手段を有することを特徴とする。
【００１４】
同請求項１１に係る画像形成装置は、請求項９または１０の画像形成装置において、前記画像形成装置は電子写真複写機であることを特徴とする。
【００１５】
同請求項１２に係る画像形成装置は、請求項９または１０の画像形成装置において、前記画像形成装置はプリンタであることを特徴とする。
【００１６】
同請求項１３に係る画像形成装置は、請求項９または１０の画像形成装置において、  前記画像形成装置はファクシミリであることを特徴とする。
【発明の効果】
【００１７】
本発明は、紙種検知手段が新しく取得したデータを前回取得データと直接比較しているので、補給前後での紙種・紙厚の変化を紙種テーブルの分類に関係なく精細に変更判定できる。
【発明を実施するための最良の形態】
【００１８】
以下、本発明の実施形態に関して、添付図面を参照して説明する。
【実施例１】
【００１９】
図１は本発明の実施例１の実施対象となる両面画像形成装置の主要断面図で転写紙の搬送経路を示したものである。図中１は両面画像形成装置、２は画像形成部、３は給紙部であり、片面に画像形成する時、給紙装置３で転写紙Ｐは給送され、画像形成部２で画像を転写され、定着装置４で画像を定着され、反転排紙切換部９、排紙部８を通って外部へ排紙される。
【００２０】
両面に画像形成する時は、給紙部３の給紙部３ａ〜３ｄのいずれかに積載された転写紙Ｐが給紙され、片面に画像形成部２で画像を転写され、定着装置４で画像を定着され、反転排紙切換部７で切換えられ、反転装置６でスイッチバックして反転され、再給送路７を通って、再び給紙され、裏面に画像形成部２で画像を転写され、定着装置４で画像を定着され、反転排紙切換部９、排紙部８を通って排紙される。
【００２１】
図２は紙種検知手段を有する給紙装置の主要構成図である。レジスト駆動ローラ１１とレジスト従動ローラ１２の対への給紙方向前側に設けられた紙種検知手段３０は紙厚検知手段と紙表面検知手段から構成されている。紙厚検知手段３０は透過発光素子１４と透過受光素子１３で構成され、透過発光素子１４が発光して転写紙Ｐを透過した光を透過受光素子１３が受光してその転写紙Ｐの透過率を測定する。紙表面検知手段は反射発光素子と反射受光素子で構成され、反射発光素子が発光して転写紙Ｐに反射した光を反射受光素子が受光してその転写紙Ｐの反射率を測定する。なお図中１７はグリップ駆動ローラ、１８はグリップ従動ローラである。
【００２２】
本実施例では、紙種判定手段は光学的検知で透過率を利用したものを紙厚検知手段と言い、光学的検知で反射率を利用したものを紙表面検知と称しているが、紙厚検知手段または紙表面検知手段どちらか一方を紙種検知手段として用いることもできる。さらに精度向上や対応紙種範囲拡大のために、特性のことなる複数の紙厚検知手段、または複数の紙表面検知手段で紙種検知手段を構成することもできる。
【００２３】
図３は紙種検知装置の主要機能概念図である。転写紙を測定し紙種判別のためデータを取得する紙種検知手段３０の紙厚検知手段５１と紙表面検知手段５２、紙厚検知手段５１が取得した測定データをＸ１、紙表面検知手段５２が取得した測定データをＸ２、すなわち一時記憶値Ｘ１、Ｘ２として一時記憶する一時記憶手段３１、一時記憶手段３１が記憶した測定データ（一時記憶値Ｘ１、Ｘ２）を各給紙段に対応した紙種記憶値（第１給紙紙種記憶値Ｙ１、Ｚ１、第２給紙紙種記憶値Ｙ２、Ｚ１、第３給紙紙種記憶値Ｙ３、Ｚ３・・・第ｎ給紙紙種記憶値Ｙｎ、Ｚｎ）として記憶する紙種記憶手段３２、各給紙段の紙種記憶手段３２の測定データ（紙種記憶値Ｙ１〜Ｙｎ、Ｚ１〜Ｚｎ）をクリア（消去）するデータクリア手段３３から構成されている。なお、Ｙ１〜Ｙｎは紙厚検知手５１段が検知した測定データの一時記憶値Ｘ１を紙種記憶手段３２が記憶した記憶値である。同様に、Ｚ１〜Ｚｎは紙表面検知手段５２が検知した測定データの一時記憶値Ｘ２を紙種記憶手段３２が記憶した記憶値である。なお測定データＸ１、Ｘ２については、本図では単にＸとして示してあるが、これらについては後述する。
【００２４】
また、クリア判定手段４１がデータクリア手段３３がデータクリアする種々の条件を判定する。データクリアとは、紙種記憶値Ｙｎ、Ｚｎデータをクリアし、一時記憶値Ｘ１、Ｘ２を紙種記憶値Ｙｎ、Ｚｎに記憶することまで含む。紙種記憶値Ｙｎ、Ｚｎを紙種判定テーブルが持つ紙種範囲（紙種データ範囲）Ｒ１〜Ｒ５のどれに該当するかを判定する。Ｒ１〜Ｒ５はＹｎとＺｎの２つのデータそれぞれに最適な範囲であることを示す。また、ＹｎとＺｎのどちらか一方だけで判定することもできる。実施例は、主に透過率を測定する紙厚検知手段のＹｎにより、ＯＨＰ、第二原図、普通紙の紙種と、普通紙の紙厚段階を判定する紙種検知手段である。
【００２５】
しかし、紙種検知手段は、反射率を測定する紙表面手段のＺｎと組合せた方式であってもよい。目的に応じて紙種検知手段を組合せると精度が向上する。例えば、複数の紙厚のある再生紙、コピー紙、コート紙の判定には紙種検知手段のＹｎと紙表面手段のＺｎの組合せで判定するこが有効である。
【００２６】
図４は、紙厚検知装置の制御系主要構成のブロック図である。図中３０は上述した紙種検知手段であり、図中４３はＣＰＵ、４４は表示部、４５は操作部、４６ａ〜４６ｎはサイズ検知手段、４７はＲＡＭ、４８はＲＯＭであり、これらはそれぞれＣＰＵ４３に接続している。
【００２７】
図５は上述してきたような紙種検知装置の基本動作のフローチャート図である。給紙搬送動作がスタートする（ステップＳ２１：以下ステップはＳとのみ記載する）と、紙種記憶値（Ｙｎ、Ｚｎ）が有るか無いかを判定し（Ｓ２２）、紙種記憶値（Ｙｎ、Ｚｎ）が有る場合は（Ｙｎ、Ｚｎ）を紙種判定テーブルのデータ範囲Ｒ１〜Ｒ６と比較照合して（Ｓ２６）、紙種を判定する（Ｓ２７）。（Ｙｎ、Ｚｎ）が無い場合は紙種検知手段３０が測定を行い（Ｓ２３）、測定データを一時記憶手段に一時記憶値（Ｘ１、Ｘ２）として記憶する（Ｓ２４）。そして、一時記憶値（Ｘ１、Ｘ２）を紙種記憶値（Ｙｎ、Ｚｎ）として紙種記憶手段に格納（記憶）して（Ｓ２５）、紙種記憶値（Ｙｎ、Ｚｎ）を紙種判定テーブルのデータ範囲Ｒ１〜Ｒ６と比較照合して（Ｓ２６）、紙種を判定する（Ｓ２７）。紙種・紙厚の判定は、紙種検知手段３０の測定データ（一時記憶値Ｘまたは紙種記憶値Ｙ１〜Ｙｎ、Ｚ１〜Ｚｎ）が紙種判定テーブルの持つ紙種範囲（紙種のデータ範囲）Ｒ１〜Ｒ６に該当するかを比較することにより、紙種が判定される。
【００２８】
なおデータクリア手段３３は、データクリアする判定条件になると、紙種記憶手段３２の該当する給紙動作を行っている給紙段の紙種記憶値（Ｙ１〜Ｙｎ、Ｚ１〜Ｚｎの該当値）をクリアする。データクリア判定手段３３は、転写紙が変更になる可能性がある条件を判定する。データクリアする判定条件には、転写紙のセット判定する転写紙セット判定、電源オンを判定する電源オン判定、給紙トレイの転写紙変更を判定する転写紙セット判定、紙種・紙厚情報をユーザが設定する機能を有する場合の紙種・紙厚設定の変更を判定する紙種設定変更判定、ジャムが発生を判定するジャム発生判定、重送が発生を判定する重送発生判定がある。
【００２９】
またなお転写紙セット判定には、転写紙が有りを検知した時に行う場合と給紙トレイがセットされた場合に行う場合がある。紙をセットするだけの手差し給紙トレイでは、転写紙無しから有りの変化を検知した場合にだけ、転写紙セット判定を行う。給紙トレイがフロントローデングなどの引出しトレイ式やカセット式で給紙トレイ自体の有り・無し検知が可能な場合には、給紙トレイが無しから有りの変化を検知した場合に行うこともある。
【実施例２】
【００３０】
既に述べたように、従来、転写紙が無くなった時などの転写紙補給の前後で、誤って異なる転写紙を補給された場合に、プリントした転写紙が無駄になる不具合があった。転写紙を補給したユーザとプリント要求をしたユーザが異なると、不具合の発生が多くなる。また、転写紙の補給の際に、異なる用を混ぜて混入した場合に同様である。本実施例は、転写紙の補給の前後で異なる転写紙を誤って補給することを抑制するものである。すなわち、給紙トレイの転写紙変更を判定する転写紙セット確認手段は、転写紙の補給後に紙種・紙厚が変更になって場合に、その確認をユーザに通知するユーザ通知手段４９、ユーザ了承手段５０により構成されている。よって、ユーザが誤って異なった紙種を補給した場合に、その間違いを修正することができるため、ユーザが不本意なコピーをしないで済む。特に、同一冊子の中に、異なった紙厚・紙種が混入することを避ける場合やプリントの画質（色合いや質感など）を統一したいなどと気にする場合に有効である。また、ある給紙段は、いつも決まった転写紙を設定している場合にも有効である。
【００３１】
図６は、本発明の実施例２の紙種検知装置の主要機能概念図である。クリア条件判定手段４１が、紙種・紙厚変更確認が必要なデータ条件であるジャム発生、重送発生、電源オン、転写紙セットのいずれかを判定すると、転写紙変更確認手段４２が、紙種検知手段３０からの測定データである一時記憶手段３１の一時記憶値（Ｘ１、Ｘ２）と紙種記憶手段３２の該当する給紙段の紙種記憶値（Ｙｎ、Ｚｎ）（前回の測定データ）の比較を行い、紙種・紙厚に違いが無ければ、通常通り、紙種記憶値（Ｙｎ、Ｚｎ）データをクリアし、一時記憶値（Ｘ１、Ｘ２）を紙種記憶値（Ｙｎ、Ｚ２）に記憶する。
【００３２】
しかし、転写紙補給前後で、紙種・紙厚の相違判定を行い転写紙補給前後で紙種・紙厚に違いがあれば、ユーザに対して紙種・紙厚が変更になっていることの確認を促す。さらに、転写紙変更判定手段４２において、今回の測定データ（Ｘ１、Ｘ２）とその段の前回の測定データに当たる紙種記憶値（Ｙｎ、Ｚｎ）を直接比較して転写紙が同一であるか異なるかを判定する。測定データ（Ｘ１、Ｘ２）が紙種記憶値（Ｙｎ、Ｚｎ）との差が表面検知精度調整手段で指定された差の範囲より大きい場合に、転写紙が同一でないので変更されたと判定する。ユーザが操作部４５などより選択入力することにより、表面検知精度調整手段で、判定基準となる差の範囲の大きさ（精度）を調整することができる。表面検知制度調整手段において、判定が厳密な精細Ｅ１に設定すると転写紙の僅かな違いでも転写紙が変更されたと判定できるため、精度が高くなる。
【００３３】
一方、粗目Ｅ３に設定すると転写紙の僅かな違いでは、変更されたと判定しないため、精度は低くなる。しかし、もともと同一の転写紙であってばらつきが大きい転写紙に対しては同一転写紙であっても転写紙が変更されたと判定する誤検知を防止するのに有効である。転写紙の種類（紙種）判定に関係なく、前回の測定データである紙種記憶値（Ｙｎ、Ｚｎ）と今回の測定データである一時記憶値（Ｘ１、Ｘ２）を比較して、その差の大きさだけ判定しているので、精度良く転写紙変更判定ができる。さらに、カラープリント時や高画質プリント選択時に表面検知高精度判定手段５５が表面検知精度調整手段５６に対して自動的に精細Ｅ１設定指示する。
【００３４】
一般に画質を統一したいモードは、カラープリントと高画質プリントである。ユーザが操作部４５などからプリント条件（プリントモード）を設定すると、表面検知高精度設定手段５５によってカラープリントまたは高画質プリントが選択された時に、自動的に表面検知精度調整を精細Ｅ１に設定する。よって、カラープリント選択時、高画質プリント選択時には転写紙の紙表面検知手段に紙表面検知の精度を上げることができる。
【００３５】
転写紙を統一したい場合には、紙種検知手段の紙厚検知手段による紙厚検知と紙表面検知手段による紙表面検知の組合せで検知品質が向上するが、転写紙の厚さは気にせず、画質（色合い、質感）だけ統一したい場合には紙表面検知手段による紙表面検知だけを行うことができる（第７図）。しかし、紙厚検知をまったく行わないのではなく、紙厚検知の精度だけを低くすることが実用的である。
【００３６】
図８は、ジョブ限定選択手段の説明図である。ユーザが操作部４５などから、転写紙変更判定手段４２を動作させる場合を設定できる。常に変更判定を行う、またはジョブ中に選択設定され、限ジョブ限定選択手段５７が自動的にその条件の時のみ転写紙変更判定手段４２を動作させる。
【００３７】
図９は、給紙段限定選択手段の説明図である。ユーザが操作部４５などから、転写紙変更判定手段４２を動作させる給紙段を設定できる。転写紙変更判定手段４２を動作させる給紙段が設定されると、給紙段限定選択手段５８が自動的に給紙段のみ転写紙変更判定手段４２を動作させる。
図１０は、補足説明のための転写紙変更判定手段における紙種・紙厚の変更を通知するユーザ通知手段の主要フローチャートの一例である。転写紙変更判定を行う条件の時（プリント動作のジョブ途中で、転写紙が無くなったために転写紙を補給して給紙トレイのセットした時、ジャムや重送があって転写紙を処理して給紙トレイのセットした時など）、転写紙変更判定手段の動作がスタートすると、データクリア判定条件が紙種変更条件であるかを判定する（Ｓ５１）。転写紙変更判定条件である場合には、一時記憶値（Ｘ１、Ｘ２）と紙種記憶値（Ｙｎ、Ｚｎ）を比較して（Ｓ５２）、紙種・紙厚が異なるか（変更になっている）を判定する（Ｓ５３）。転写紙（紙種・紙厚）が変更になっていて良いか確認する必要があるのでユーザに通知する（Ｓ５４）。紙種・紙厚が変更を了承したくなければ（Ｓ５５）、給紙トレイに正しい転写紙を補給し、給紙トレイを再セットすること（Ｓ５７）により、転写紙変更判定手段の動作を繰り返して、プリントジョブを再開して（Ｓ５８）終了となる。了承するまでに間プリント動作を禁止すれば、本人ばかりでなく他のユーザ誤った転写紙にプリントすることもない。ネットワークプリンタ、複合機などでは、特に有効である。
【００３８】
すなわち本発明では、紙種検知手段が新しく取得したデータを前回取得データと直接比較しているので、補給前後での紙種・紙厚の変化を紙種テーブルの分類に関係なく精細に変更判定できる。また紙種検知手段が新しく取得したデータと前回取得データと比較して判定する基準である変更度合いを選択設定できるので、用途に適してバランス良く変更判定できる。さらに、通常は転写紙変更判定を必要としないユーザでもジョブ動作中のペーパエンド時だけは、転写紙変更判定を操作できるように選択できるので、一つのジョブ内の転写紙を統一できる。
【００３９】
また本発明は、通常は転写紙変更判定を必要としないユーザでもカラープリントの時だけは、転写紙変更判定を操作できるように選択できるので、カラープリント画質に対するユーザ要求を満たせる。そして通常は転写紙変更判定を必要としないユーザでも高画質プリントの時だけは、転写紙変更判定を操作できるように選択できるので、高画質プリントの画質に対するユーザ要求を満たせる。また転写紙の表面判定をしているので、表面が同等の転写紙の判定、または、同一転写紙判定の精度が向上する（転写紙が同一でなくても表面が同じ判定ができる。また、同一転写紙判定の精度の向上できる。）。
【００４０】
さらに、通常は転写紙変更判定を必要としないユーザでもカラープリントの時だけは、転写紙変更判定を操作できるように選択できるので、カラープリント画質の表面に対するユーザ要求を満たせる。また通常は転写紙変更判定を必要としないユーザでも高画質プリントの時だけは、転写紙変更判定を操作できるように選択できるので、高画質プリントの表面に対するユーザ要求を満たせる。
【００４１】
またさらに、給紙段を限定して転写紙変更判定ができるので、転写紙の違いを気にする給紙段だけに誤った転写紙変更を抑制することができる。そして、ユーザが誤った用紙にセットすることを抑制できるので、精密な機構である画像形成部や取扱に注意を要する定着装置などに対する機械ダメージ防止とミスプリントの防止ができる。オンライン上の不特定多数のユーザに対しも、ミスプリントの防止ができる。
【図面の簡単な説明】
【００４２】
【図１】本発明の実施例１の実施対象となる両面画像形成装置の主要断面図
【図２】紙種検知手段を有する給紙装置の主要構成図
【図３】紙種検知装置の主要機能概念図
【図４】紙厚検知装置の制御系主要構成のブロック図
【図５】紙種検知装置の基本動作のフローチャート図
【図６】本発明の実施例２の紙種検知装置の主要機能概念図
【図７】転写紙を統一したい場合の例を示す図
【図８】ジョブ限定選択手段の説明図
【図９】給紙段限定選択手段の説明図
【図１０】補足説明のための転写紙変更判定手段における紙種・紙厚の変更を通知するユーザ通知手段の主要フローチャート図
【符号の説明】
【００４３】
１：両面画像形成装置
２：画像形成部
３：給紙部
３ａ：１段目給紙部
３ｂ：２段目給紙部
３ｃ：３段目給紙部
３ｄ：４段目給紙部
４：定着部
５：給紙搬送路
６：反転部
７：再給送路
８：排紙部
９：排紙反転切換部
１０：手差給紙部
１１：レジスト駆動ローラ
１２：レジスト従動ローラ
１３：透過受光素子
１４：透過発光素子
１７：グリップ駆動ローラ
１８：グリップ従動
３０：紙種検知手段
３１：一時記憶手段
３２：紙種記憶手段
３３：データクリア手段
３４：紙種判定テーブル
４１：クリア条件判定手段
４２：転写紙変更判定手段
４３：ＣＰＵ
４４：表示部
４５：操作部
４６：サイズ検知手段
４７：ＲＡＭ
４８：ＲＯＭ
４９：ユーザ通知手段
５０：ユーザ了承手段
５１：紙厚検知手段
５２：紙表面検知手段
５３：反射発光素子
５４：反射受光素子
５５：表面検知高精度設定手段
５６：表面検知精度調整手段
５７：ジョブ限定選択手段
５８：給紙段限定選択手段
【図１】
2008225052.tif 000003
【図２】
2008225052.tif 000004
【図３】
2008225052.tif 000005
【図４】
2008225052.tif 000006
【図５】
2008225052.tif 000007
【図６】
2008225052.tif 000008
【図７】
2008225052.tif 000009
【図８】
2008225052.tif 000010
【図９】
2008225052.tif 000011
【図１０】
2008225052.tif 000012